(57)【要約】 【課題】本願発明粘着糸温冷機能体１は、おもに医療用又は防寒、防熱用に用いられ、使い捨てカイロや使い捨て保冷剤等（温冷機能体と表記）を、人体や食品に固定する場合に、粘着テープや包帯や紐等を用いることなく、結び止め等行わなくても、瞬時に温冷機能体の固定が出来ることを課題とするものである。【解決手段】上記課題を解決する為に、発熱体又は保冷体に粘着層を設けて前記粘着層に複数周回巻き付けることが可能な糸を一体に備えたことを特徴とする粘着糸温冷機能体を作成する。【選択図】  図１
2014161592.tif 000002
【特許請求の範囲】
【請求項１】
発熱体又は保冷体に粘着層を設けて前記粘着層に複数周回巻き付けることが可能な糸を一体に備えたことを特徴とする粘着糸温冷機能体。
【請求項２】
前記糸の端部及び/又は中間部に糸止め用粘着層を設けたことを特徴とする請求項１記載の粘着糸温冷機能体。
【発明の詳細な説明】
【技術分野】
【０００１】
本願発明は、おもに医療用品や防寒，防熱用として使用される使い捨てカイロ等の発熱体や、使い捨て保冷体等の装着において、その固定用手段として、複数周回巻き付けること可能な糸を備えさせた粘着糸温冷機能体に関するものである。
【背景技術】
【０００２】
従来は、使い捨てカイロ等の発熱体や、保冷剤等の保冷体を人体等に固定する場合は、粘着剤で貼り付けるか、サポーターに挟み込む等の手段を用いて脱落を防止していた。
【先行技術文献】
【特許文献】
【０００３】
【特許文献１】特開２００５−２８７９５８公報
【発明の概要】
【発明が解決しようとする課題】
【０００４】
本願発明粘着糸温冷機能体は、おもに医療用品や防寒，防熱用として人体に使用して患部を温める使い捨てカイロ等の発熱体や、患部を冷やす保冷剤等の保冷体を固定する場合に、固定の脱落を防止する事を課題とする。
【０００５】
以下においては、使い捨てカイロ等の発熱体および保冷剤等の保冷体の総称として温冷機能体と表現する。
【課題を解決するための手段】
【０００６】
上記課題を解決する為に、発熱体又は保冷体に粘着層を設けて前記粘着層に複数周回巻き付けることが可能な糸を一体に備えたことを特徴とする粘着糸温冷機能体を作成する。
【０００７】
更に、前記糸の端部及び/又は中間部に糸止め用粘着層を設けたことを特徴とする粘着糸温冷機能体を作成することにより、本願発明の効果が発揮できる。
【発明の効果】
【０００８】
温冷機能体に粘着層を設けて前記粘着層に複数周回巻き付けることが可能な糸を備えたことを特徴とする粘着糸温冷機能体を作成する。この効果について以下に述べる。
【０００９】
温冷機能体を人体に固定する場合は、粘着剤による固定のみでは剥がれ易い欠点があり、この欠点は、特に関節等の可動部分に固定する場合は顕著である。
【００１０】
又、０００９項で述べた粘着剤による固定を強化する為に、強い粘着剤を用いると、剥がす際に人体を損傷させる可能性がある。又、既成の粘着剤でも、アレルギーによる、かぶれや湿疹疾患を及ぼすことがある。
【００１１】
０００９項で述べた剥がれ易いという固定手段の欠点は、温冷機能体の内側を人体に密着させ、その外側に粘着層（外面粘着層）をそなえさせた場合、前記粘着層に複数回巻き付けることが可能な糸を備えさせたことで、前記糸を前記外面粘着層に複数周回巻き付けることで前記温冷機能体の固定が補強される。
【００１２】
また、００１０項で述べたように既成の温冷機能体による粘着剤による手段での固定では、剥がす際の人体への損傷や、アレルギーによるかぶれや湿疹疾患の引き起こすことがあるが、本願発明粘着糸温冷機能体を用いた場合は、粘着層を人体（肌）に触れさせずに、温冷機能体を固定させる機能により解決する。
【００１３】
又、前記外面粘着層の効果で、前記糸は前記外面粘着層に絡みつき貼り付くので、少ない周回巻でも緩みにくい強固な固定が出来る。又、貼り付くことで、最終的な前記糸の結び止めも不要となる。
【００１４】
この様に、本願発明粘着糸温冷機能体の効果で、人体に粘着剤を触れさせることなく、温冷機能体の固定が可能となる。又、０００９項で述べた既成の温冷機能体の固定を補強する為に、既成の温冷機能体に粘着テープを貼り付け、その一端を人体に貼り付ける手段があるが、前記粘着テープがアレルギー疾患を引き起こすことが考えられるが、本願発明粘着糸温冷機能体を用いれば、前記粘着テープによる補強は不要になり、粘着層を人体（肌）に触れさせずに、温冷機能体を固定させる機能により解決する。
【００１５】
更に、前記糸の端部及び/又は中間部に糸止め用粘着層を設けたことを特徴とする粘着糸温冷機能体を作成することにより、本願発明の効果が発揮できる。この効果について以下に述べる。
【００１６】
温冷機能体の内側を人体に密着させ、その外側に粘着層（外面粘着層）を備えさせて、前記粘着層（外面粘着層）に複数周回前記糸を巻き付けた場合、前記外面粘着層に複数周回巻き付けた前記糸は、前記外面粘着層に貼り付けられることで、くくり止め不要で貼り付け固定する事が可能となるが、前記外面粘着層に複数周回巻き付けて貼り付け固定された前記糸の上に、更に、前記糸に設けた前記糸止め用粘着層を上張りする事により、より一層の強固な固定が可能となる。
【図面の簡単な説明】
【００１７】
【図１】単数の糸２を備えさせた本願発明粘着糸温冷機能体１の断面図
【図２】複数の糸２、２´の端部に粘着テープ６、６´を備えさせた本願発明粘着糸温冷機能体１の断面図
【図３】図２で示す本願発明粘着糸温冷機能体１の正面図
【図４】本願発明粘着糸温冷機能体１を肘関節７に使用した正面図
【発明を実施するための形態】
【００１８】
本願発明粘着糸温冷機能体１とは、図１の断面図で示す、発熱体（使い捨てカイロ）３を中心として、その外側に一対の粘着層（外面粘着層４及び内面粘着層４´）を設け、更にその外側に一対の剥離紙５、５´を設けて、前記外面粘着層４に複数周回巻き付けることが可能な糸２を一体に備えた形態を示す。
【００１９】
実施例においては、発熱体３は両面に粘着層（外面粘着層４及び内面粘着層４´）を備えて説明するが、外面粘着層４のみを備えた形態でも、本願発明粘着糸温冷機能体の効果は発揮できる。
【００２０】
又、前記糸２とは、糸、紐、包帯の糸や紐状又は帯状（幅広）の様々形態、及び繊維、ゴム、金属等の様々な素材の事をさし、用途に応じて、本願発明糸付き粘着発熱体１を作成する。
【００２１】
尚、実施例においては、発熱体３は使い捨てカイロ３と表記する。もちろん、患部を冷やす場合は、使い捨てカイロ３の代わりに保冷剤等の保冷体を使用する事は言うまでもない。
【実施例】
【００２２】
実施例では００１８項で説明した図１で示す形態ではなく、図２の断面図で示す糸２、２´の端部に、更に、粘着テープ６、６´を備えた本願発明粘着糸温冷機能体１を用いて説明する。
【００２３】
図１では、前記糸２は、使い捨てカイロ３と外面粘着層４に挟む手段で備え付けているが、前記糸２は、前記外面粘着層４に複数周回巻き付けることが可能であれば、どのような形態で備え付けても構わない。
【００２４】
図３は、図２の剥離紙５，５´を剥がした状態の正面図を示す。本願発明糸付き粘着発熱体１の糸２は単数でも複数でも効果は発揮できるが、実施例では複数の糸２，２´を用いて説明する。
【００２５】
実施例では、前記使い捨てカイロ３の全体ではなく、前記使い捨てカイロ３の部分的な２箇所に、図３で示す外面粘着層４a、４ｂに複数周回巻き付けることが可能な糸２、２´を一体に備えさせる。そして、前記糸２、２´の端部には、粘着テープ６、６´を備えさせる。又、外面粘着層４a、４ｂは、使い捨てカイロ３の全面に備えさせても構わない。
【００２６】
図４は、図３で示す本願発明糸付き粘着発熱体１を肘関節７に貼り付けた状態を示す。既製品の貼り付けタイプの使い捨てカイロ３では、図４で示す肘関節７に貼り付ける場合は、関節の可動により貼り付けタイプ使い捨てカイロ３が剥がれ易い欠点がある。
【００２７】
実施例では、内面粘着層４及び外面粘着層４´を持つ本願発明粘着糸温冷機能体１の、まず、内面粘着層４´を用いて肘関節７に使い捨てカイロ３を貼り付ける。
【００２８】
内面粘着層４´を用いて肘関節７に貼り付けられた使い捨てカイロ３は、その外側に外面粘着層４ａ、４ｂを備えているので、  前記糸２、２´を、前記粘着層４ａ、４ｂに複数周回巻き付けることで使い捨てカイロ３は固定の強化がされて、前記糸２は貼り付け固定される。
【００２９】
前記糸を複数周回巻き付けることによる固定の補強効果により、肘関節７に貼り付けた使い捨てカイロは、関節の可動による剥がれ易さの欠点を解決する事が出来る。
【００３０】
この際、本願発明粘着糸温冷機能体１が持つ外面に備えられた粘着層４に複数周回巻き付けられた前記糸２、２´は、粘着層４の粘着層に絡みついて貼り付くので、前記糸２、２´は、結び止めをする必要はなく接着剤を用いなくても貼り付け固定する。
【００３１】
更に、複数周回巻き付けて貼り付け固定した前記糸２、２´の上から、前記糸２、２´の先端にある片面テープ６、６´を貼り付ける（上張りする）事で、より一層の固定の補強が出来る。  
【００３２】
この様に、関節の可動部分に本願発明粘着糸温冷機能体１を取り付ける手段を用いれば、肘の可動による剥がれ止め防止の為に、既成のテープを新たに貼り付けて、固定の補強をする必要ない。又、固定の補強目的の為に使用するような包帯類も必要なくなる。
【００３３】
又、本願発明粘着糸温冷機能体１は、内面粘着層４´を備えなくても固定できるので、内面粘着層４´が人体に及ぼす影響（かぶれ、肌荒れ、脱毛、傷口に対する悪影響）を防止することが出来る。
【００３４】
もちろん、関節等の可動部分でなくても人体において、複数周回巻き付けることが出来れば、どの部分位おいても粘着糸温冷機能体の固定効果は発揮できる。
【００３５】
特に、痛風、ヘルペス等の触れるだけで激痛を伴う疾患の幹部に、温冷機能体を固定する場合は、内面粘着層４´を肌に触れさせずに固定しなければならないが、願発明粘着糸温冷機能体１を使用することで粘着剤等の刺激物を肌に触れさせることなく、簡単に固定する事が出来る。
【００３６】
尚、人体に使用する場合は、温冷機能体や糸２に通気性を持たす手段を考慮すべきである。
【００３７】
尚、本願発明粘着糸温冷機能体１は、人体のみならず、温冷機能体を使用する、食品や生活用品等の様々な分野での固定において用いる事が可能である。
【符号の説明】
【００３８】
１    本願発明粘着糸温冷機能体１
２    糸
３    使い捨てカイロ（温冷機能体）
４    粘着層
５    剥離紙
６    片面テープ
７    肘関節
【図１】
2014161592.tif 000003
【図２】
2014161592.tif 000004
【図３】
2014161592.tif 000005
【図４】
2014161592.tif 000006
【手続補正書】
【提出日】平成25年3月1日(2013.3.1)
【手続補正１】
【補正対象書類名】明細書
【補正対象項目名】００１１
【補正方法】変更
【補正の内容】
【００１１】
０００９項で述べた剥がれ易いという固定手段の欠点は、温冷機能体の内側を人体に密着させ、その外側に粘着層（外面粘着層）をそなえさせた場合、前記粘着層に複数周回巻き付けることが可能な糸を備えさせたことで、前記糸を前記外面粘着層に複数周回巻き付けることで前記温冷機能体の固定が補強される。
【手続補正２】
【補正対象書類名】明細書
【補正対象項目名】００３４
【補正方法】変更
【補正の内容】
【００３４】
もちろん、関節等の可動部分でなくても人体において、固定用の糸２を複数周回巻き付けることが出来れば、どの部分位おいても粘着糸温冷機能体の固定効果は発揮できる。
【手続補正書】
【提出日】平成25年5月17日(2013.5.17)
【手続補正１】
【補正対象書類名】特許請求の範囲
【補正対象項目名】請求項１
【補正方法】変更
【補正の内容】
【請求項１】
発熱体又は保冷体の外側に粘着層を設けて前記粘着層に複数周回巻き付けることが可能な糸を一体に備え、前記発熱体又は保冷体を被固定対象物（人体等）に固定する場合、前記被固定対象物に対して外面となる前記粘着層に前記糸を複数周回巻き付けることにより、前記糸が前記粘着層に貼り付く機能により前記発熱体又は保冷体が被固定対象物（人体等）へ固定されることを特徴とする粘着糸温冷機能体。 
【手続補正２】
【補正対象書類名】明細書
【補正対象項目名】００３５
【補正方法】変更
【補正の内容】
【００３５】特に、痛風、ヘルペス等の触れるだけで激痛を伴う疾患の幹部に、温冷機能体を固定する場合は、内面粘着層４´を肌に触れさせずに固定しなければならないが、本願発明粘着糸温冷機能体１を使用することで粘着剤等の刺激物を肌に触れさせることなく、簡単に固定する事が出来る。